(57)【要約】【課題】端子の係合解除の作業性を向上することができる端子係合解除治具を提供する。【解決手段】棒状に形成され一端側に端子に係合された係止ランスと当接して撓ませる当接部３が設けられた解除部５と、この解除部５の他端側に一体に設けられ係止ランスと当接部３とを当接させる操作部７とを備えた端子係合解除治具１において、操作部７に、内部に電池９を収容すると共に、外部に電池９の電流を断続するスイッチ部１１を設け、解除部５に、スイッチ部１１を介して電池９に接続し、当接部３の周囲を照射する光源部１３を設けた。【選択図】図１
2016207344.tif 000002
【特許請求の範囲】
【請求項１】
棒状に形成され一端側に端子に係合された係止ランスと当接して撓ませる当接部が設けられた解除部と、この解除部の他端側に一体に設けられ前記係止ランスと前記当接部とを当接させる操作部とを備えた端子係合解除治具であって、
前記操作部には、内部に電池が収容されると共に、外部に前記電池の電流を断続するスイッチ部が設けられ、
前記解除部には、前記スイッチ部を介して前記電池に接続され、前記当接部の周囲を照射する光源部が設けられていることを特徴とする端子係合解除治具。
【請求項２】
請求項１記載の端子係合解除治具であって、
前記光源部は、少なくとも前記解除部の周方向の対向する位置に一対設けられていることを特徴とする端子係合解除治具。
【発明の詳細な説明】
【技術分野】
【０００１】
本発明は、端子係合解除治具に関する。詳細には、コネクタ内などに収容された端子に係合する係止ランスの係合を解除させる端子係合解除治具に関する。
【背景技術】
【０００２】
従来、端子係合解除治具としては、棒状に形成され一端側に端子に係合された係止ランスと当接して撓ませる当接部が設けられた解除部としての棒状本体と、この棒状本体の他端側に一体に設けられ係止ランスと当接部とを当接させる操作部とを備えたものが知られている（例えば、特許文献１参照）。
【０００３】
この端子係合解除治具では、係止ランスが係合されてコネクタ内に収容された状態の端子に対して、操作部を把持して棒状本体をコネクタ内に挿入し、棒状本体の当接部を係止ランスに当接させて撓ませ、端子と係止ランスとの係合を解除し、端子をコネクタ内から抜くことができる。
【先行技術文献】
【特許文献】
【０００４】
【特許文献１】特開平９−４５４１４号公報
【発明の概要】
【発明が解決しようとする課題】
【０００５】
ところで、上記特許文献１のような端子係合解除治具では、コネクタ内の奥部で係止ランスが端子に係合している場合、コネクタ内へ解除部を挿入する作業時の照度を確保することが困難であった。特に、近年では、コネクタが小型化されており、照度の確保がより困難であった。
【０００６】
このため、照度を確保するための照明作業、或いは手探りの暗所作業によって端子と係止ランスとの係合解除の作業速度が低下したり、照度不足によって係止ランスや端子、或いはコネクタ内を破損させるなど、端子の係合解除の作業性が低下していた。
【０００７】
そこで、この発明は、端子の係合解除の作業性を向上することができる端子係合解除治具の提供を目的としている。
【課題を解決するための手段】
【０００８】
請求項１記載の発明は、棒状に形成され一端側に端子に係合された係止ランスと当接して撓ませる当接部が設けられた解除部と、この解除部の他端側に一体に設けられ前記係止ランスと前記当接部とを当接させる操作部とを備えた端子係合解除治具であって、前記操作部には、内部に電池が収容されると共に、外部に前記電池の電流を断続するスイッチ部が設けられ、前記解除部には、前記スイッチ部を介して前記電池に接続され、前記当接部の周囲を照射する光源部が設けられていることを特徴とする。
【０００９】
この端子係合解除治具では、解除部に、スイッチ部を介して電池に接続され、当接部の周囲を照射する光源部が設けられているので、別部材による照明作業や手探りによる暗所作業を行う必要がなく、端子と係止ランスとの係合解除の作業速度を向上することができる。
【００１０】
また、光源部は、当接部の周囲を照射するので、コネクタ内への挿入から係止ランスと当接部との当接までにおける当接部の周囲の照度を確保することができ、係止ランスや端子、或いはコネクタ内を破損させることを大幅に抑制することができる。
【００１１】
従って、このような端子係合解除治具では、当接部の周囲を照射する光源部によって照度を確保することができるので、端子の係合解除の作業性を向上することができる。
【００１２】
請求項２記載の発明は、請求項１記載の端子係合解除治具であって、前記光源部は、少なくとも前記解除部の周方向の対向する位置に一対設けられていることを特徴とする。
【００１３】
この端子係合解除治具では、光源部が、少なくとも解除部の周方向の対向する位置に一対設けられているので、解除部によって遮光される部分がなくなり、光源部によって当接部の周囲を確実に照射することができる。
【発明の効果】
【００１４】
本発明によれば、端子の係合解除の作業性を向上することができる端子係合解除治具を提供することができるという効果を奏する。
【図面の簡単な説明】
【００１５】
【図１】本発明の実施の形態に係る端子係合解除治具の斜視図である。
【図２】本発明の実施の形態に係る端子係合解除治具の概略図である。
【図３】本発明の実施の形態に係る端子係合解除治具の操作部と蓋部材との斜視図である。
【図４】本発明の実施の形態に係る端子係合解除治具の回路基板の斜視図である。
【図５】本発明の実施の形態に係る端子係合解除治具の回路図である。
【発明を実施するための形態】
【００１６】
図１〜図５を用いて本発明の実施の形態に係る端子係合解除治具について説明する。
本実施の形態に係る端子係合解除治具１は、棒状に形成され一端側に端子に係合された係止ランスと当接して撓ませる当接部３が設けられた解除部５と、この解除部５の他端側に一体に設けられ係止ランスと当接部３とを当接させる操作部７とを備えている。
【００１７】
そして、操作部７には、内部に電池９が収容されると共に、外部に電池９の電流を断続するスイッチ部１１が設けられ、解除部５には、スイッチ部１１を介して電池９に接続され、当接部３の周囲を照射する光源部１３が設けられている。
【００１８】
また、光源部１３は、解除部５の周方向の対向する位置に一対設けられている。
【００１９】
ここで、端子係合解除治具１は、不図示であるが、コネクタ内に撓み可能に設けられた係止ランスに係合されてコネクタ内からの抜けが防止された端子に対して、端子をコネクタから引き出すときに用いられる。
【００２０】
詳細には、端子係合解除治具１は、コネクタ内に挿入され、係止ランスを端子の係合方向と反対側に向けて撓ませ、端子と係止ランスとの係合を解除し、端子をコネクタから引出可能とさせる。以下、図１〜図５を用いて端子係合解除治具１の詳細について説明する。
【００２１】
図１〜図５に示すように、端子係合解除治具１は、解除部５と、操作部７と、光源部１３とを備えている。
【００２２】
解除部５は、薄板の棒状に形成され、一端側の端部に当接部３が設けられている。当接部３は、先端側に傾斜面１５が設けられており、係止ランスの端部と当接し、係止ランスの端部を傾斜面１５に沿って摺動させることによって、係止ランスを端子との係合解除方向に撓ませる。
【００２３】
この解除部５は、他端側に設けられた操作部７を移動することにより、当接部３側からコネクタ内の奥部に位置する暗所に挿入され、当接部３を係止ランスに当接させる。この状態からさらに操作部７を暗所内に向けて移動させることにより、当接部３の傾斜面１５に沿って係止ランスを摺動させて撓ませる。
【００２４】
操作部７は、長方形の筐体状に形成され、解除部５の他端側に解除部５と一体に設けられている。この操作部７の内部には、電池９が収容され、解除部５と反対側の端面の開口が蓋部材１７によって閉塞されている。
【００２５】
蓋部材１７の操作部７側の面には、操作部７内に収容された電池９と弾性的に接触するバネ部からなる弾性接触部２１と、操作部７の端面に設けられたバスバからなる接点部２３に接触する環状のバスバからなる接触部２５とが設けられている。
【００２６】
この蓋部材１７によって閉塞される操作部７の内部には、実装部品２７やスイッチ素子２９などが搭載された回路基板３１が内蔵され、この回路基板３１に接続された電線３３，３５を介して電池９と光源部１３とが電気的に接続される。
【００２７】
このような回路基板３１によって構成される回路は、電池９からの電力がスイッチ部１１で断続され、スイッチ部１１が接続されているとき、並列抵抗Ｒ１，Ｒ２を介して光源部１３に電力が供給されるように構成されている。
【００２８】
一方、操作部７の外部には、電池９の電流を断続、すなわち電池９から光源部１３への通電をON/OFF操作し、光源部１３を点灯／消灯させるスイッチ部１１が設けられている。
【００２９】
このような操作部７は、操作者が外周を把持し、解除部５をコネクタ内に挿入する際に、スイッチ部１１をON操作することにより光源部１３が点灯される。
【００３０】
光源部１３は、操作部７の解除部５側の端面から解除部５に沿って延設された支持部１９の当接部３側に位置する先端に設けられた透過性部材内にLEDなどの素子が内蔵されており、スイッチ部１１を介して電池９と電気的に接続されている。
【００３１】
この光源部１３は、スイッチ部１１のON操作により点灯し、当接部３の周囲を照射する。このような光源部１３は、解除部５の周方向の対向する位置に一対設けられている。
【００３２】
このように一対の光源部１３，１３を解除部５の周方向の対向する位置に設けることにより、一方の光源部１３の光が解除部５によって遮光される部分を、他方の光源部１３によって補うことができ、解除部５によって互いに遮光される部分をなくすことができる。
【００３３】
このような光源部１３，１３は、コネクタ内の暗所に解除部５が挿入され当接部３が係止ランスに当接するまでの間に、当接部３の周囲を照射することにより、当接部３の周囲の照度を確保し、視認性を向上させることができる。
【００３４】
このため、解除部５がコネクタ内の暗所に位置する係止ランスや端子、或いはコネクタ内の内壁面などと干渉することを抑制でき、係止ランスや端子、或いはコネクタ内を破損させることを大幅に抑制することができる。
【００３５】
一方、光源部１３，１３によって当接部３の周囲を照射することにより、操作者が操作部７を把持していない他方の手で操作する別部材の照明部材によって暗所内を照射する照明作業や手探りによる暗所作業などを行う必要がなくなる。
【００３６】
このため、操作者は、操作部７を把持していない他方の手でコネクタを保持して挿入作業を安定化することができると共に、手探りによる慎重な暗所への挿入作業を行う必要がなく、端子と係止ランスとの係合解除の作業速度を大幅に向上させることができる。
【００３７】
このような端子係合解除治具１では、解除部５に、スイッチ部１１を介して電池９に接続され、当接部３の周囲を照射する光源部１３が設けられているので、別部材による照明作業や手探りによる暗所作業を行う必要がなく、端子と係止ランスとの係合解除の作業速度を向上することができる。
【００３８】
また、光源部１３は、当接部３の周囲を照射するので、コネクタ内への挿入から係止ランスと当接部との当接までにおける当接部３の周囲の照度を確保することができ、係止ランスや端子、或いはコネクタ内を破損させることを大幅に抑制することができる。
【００３９】
従って、このような端子係合解除治具１では、当接部３の周囲を照射する光源部１３によって照度を確保することができるので、端子の係合解除の作業性を向上することができる。
【００４０】
また、光源部１３は、解除部５の周方向の対向する位置に一対設けられているので、解除部５によって遮光される部分がなくなり、光源部１３，１３によって当接部３の周囲を確実に照射することができる。
【００４１】
なお、本発明の実施の形態に係る端子係合解除治具では、光源部が２つ設けられているが、これに限らず、少なくとも解除部の周方向の対向する位置に一対の光源部が設けられていれば、光源部を２つ以上設けてもよい。
【符号の説明】
【００４２】
１…端子係合解除治具
３…当接部
５…解除部
７…操作部
９…電池
１１…スイッチ部
１３…光源部
【図１】
2016207344.tif 000003
【図２】
2016207344.tif 000004
【図３】
2016207344.tif 000005
【図４】
2016207344.tif 000006
【図５】
2016207344.tif 000007